(57)【特許請求の範囲】
【請求項１】
冷蔵庫本体の前面開口部を開閉する扉を、電動駆動源を備えた開扉装置によって開扉動
作させるようにした冷蔵庫において、
前記開扉装置を冷凍室内に配置すると共に、前記開扉装置の凍結を防止するために、前
記電動駆動源に開扉動作時よりも低電圧にて通電する低電圧印加手段を設け、
前記低電圧印加手段による電動駆動源への低電圧通電は、前回の低電圧通電の終了から
所定時間経過したことで開始することを特徴とする冷蔵庫。
【請求項２】
冷蔵庫本体の前面開口部を開閉する扉を、電動駆動源を備えた開扉装置によって開扉動
作させるようにした冷蔵庫において、
前記開扉装置を冷凍室内に配置すると共に、前記開扉装置の凍結を防止するために、前
記電動駆動源に開扉動作時よりも低電圧にて通電する低電圧印加手段を設け、更に、冷却
器の温度を検出する温度センサを設け、
前記低電圧印加手段による電動駆動源への低電圧通電の開始は、前記冷却器に付着した
霜を除去する除霜中であって、前記温度センサが所定温度以上を検出したことで開始され
ることを特徴とする冷蔵庫。
【請求項３】
冷蔵庫本体の前面開口部を開閉する扉を、電動駆動源を備えた開扉装置によって開扉動
作させるようにした冷蔵庫において、
前記開扉装置を冷凍室内に配置すると共に、前記開扉装置の凍結を防止するために、前
記電動駆動源に開扉動作時よりも低電圧にて通電する低電圧印加手段を設け、
前記低電圧印加手段による電動駆動源への低電圧通電は、冷却器に付着した霜を除去す
るための除霜中であって、当該除霜開始から所定時間経過後に開始されることを特徴とす
る冷蔵庫。
【請求項４】
冷蔵庫本体の前面開口部を開閉する扉を、電動駆動源を備えた開扉装置によって開扉動
作させるようにした冷蔵庫において、
前記開扉装置を冷凍室内に配置すると共に、前記開扉装置の凍結を防止するために、前
記電動駆動源に開扉動作時よりも低電圧にて通電する低電圧印加手段を設け、
前記低電圧印加手段による電動駆動源への低電圧通電は、冷却器に付着した霜を除去す
る除霜が終了した後であって、前記冷却器により冷却された空気を前記開扉装置が配設さ
れた前記冷凍室に送るファン装置の運転が開始されたことにより開始されることを特徴と
する冷蔵庫。
【発明の詳細な説明】
【技術分野】
【０００１】
本発明は、マグネットガスケットにより閉鎖状態に保持される貯蔵室の扉を開放するための開扉装置を備えた冷蔵庫に関する。
【背景技術】
【０００２】
近年、冷蔵庫においては、大型化の傾向が著しく、これに伴い冷蔵室や冷凍室などの貯蔵室を開閉する扉も大型化している。冷蔵庫の扉は、通常、扉の周辺部に設けられたマグネットガスケットの吸着力により閉鎖状態に保持されるように構成されている。従って、扉が大型化すると、マグネットガスケットの総延長が長くなり、その分、開扉操作に必要な力が増大する。そこで、開扉操作に必要な力を軽減するために、例えば電磁ソレノイドのような電動駆動源を用いて扉を開放する電動アシスト方式の開扉装置が考えられ（例えば、特許文献１）、現に実用化されている。
【０００３】
なお、本発明とは直接の関係はないが、特許文献２には、冷蔵庫の自動製氷装置において、貯水タンクから製氷皿に給水するための給水路にソレノイドを駆動源とする給水弁を設け、常には、ソレノイドを給水弁の開駆動時と逆極性にて通電することにより、ソレノイドを給水路の凍結防止用のヒータとして利用することが開示されている。
【特許文献１】特開２００１−２８０８２７号公報
【特許文献２】特開２００６−２７５３４８号公報
【発明の開示】
【発明が解決しようとする課題】
【０００４】
開扉装置を庫外に配置できる場合は良いが、扉の位置によっては、庫内に配置しなければならない場合がある。ところが、開扉装置を庫内に配置すると、庫内冷気に晒されている開扉装置に、開扉時に庫内に侵入した外気の湿気などが結露して凍結し、開扉動作不能となる恐れがある。
【０００５】
本発明は上記の事情に鑑みてなされたもので、その目的は、開扉装置の凍結を防止できる冷蔵庫を提供することにある。
【課題を解決するための手段】
【０００６】
本発明は、冷凍室内に配置された開扉装置の凍結を防止するために、開扉装置の電動駆動源に開扉動作時よりも低電圧にて通電する低電圧印加手段を設けたことを特徴とする。
【発明の効果】
【０００７】
電動駆動源に低電圧にて通電するので、その通電に伴う電動駆動源の発熱によって開扉装置の凍結が防止される。
【発明を実施するための最良の形態】
【０００８】
以下、本発明を実施形態により具体的に説明する。
（第１の実施形態）
図１ないし図５は本発明の第１の実施形態を示す。図３および図４に示すように、本実施形態の冷蔵庫は、冷蔵庫本体１に、貯蔵室として、上部に位置する冷蔵室２、下部に位置する冷凍室３、それら冷蔵室２と冷凍室３との間の左右に位置する製氷室４と小冷凍室５を設けてなる。なお、本実施形態において、野菜室は、冷蔵室２内に引き出し可能に配置された野菜ケース（図示せず）によって構成されている。
【０００９】
上記冷蔵庫本体１は、鋼板製の外箱６とプラスチック製の内箱７との間に断熱材８を充填して構成され、内箱７内が上記各貯蔵室２〜５とされている。そして、冷蔵庫本体１には、各貯蔵室２〜５の前面開口部を開閉する扉９〜１２が設けられている。これら扉９〜１２のうち、冷蔵室２の扉９は観音開き式とされ、冷凍室３、製氷室４および小冷凍室５の扉１０〜１２はいずれも引き出し式とされている。
【００１０】
冷蔵室２の観音開き式の扉９は、図示しないヒンジによって回動可能に支持され、冷凍室３、製氷室４および小冷凍室５の引き出し式の扉１０〜１２は、図示しないレールによって前後方向に移動可能に支持されている。引き出し式の扉１０〜１２の裏面には、コ字形の保持枠１３が固定され、その保持枠１３に食品を収納する容器１４が着脱可能に保持されている。そして、それら容器１４は、扉１０〜１２の引き出しに伴って貯蔵室から引き出される。
【００１１】
冷凍室３、製氷室４および小冷凍室５は、同じ温度帯にあることから、互いに連通されている。これら冷凍室３、製氷室４および小冷凍室５の奥方には、前後二重のカバー１５ａ，１５ｂが設けられている。後側のカバー１５ｂは、冷蔵庫本体１の背壁との間に冷却器室１６を形成しており、その冷却器室１６の内部には、冷却器１７と冷気循環用のファン１８とが設けられている。そして、ファン１８が回転すると、冷却器１７により冷却された冷気が前側のカバー１５ａに形成された複数個の吹出口１９から冷凍室３、製氷室４および小冷凍室５へと供給され、各室３〜５を冷却した後の空気は、カバー１５ｂに形成された吸入口２０から再び冷却器室１６に戻されて冷却器１７により冷却される、というように循環する。なお、冷蔵室２は、別の冷却器によって冷却される。
【００１２】
上記のように循環する空気が冷却器１７によって冷却される際、その空気中に含まれる水分が冷却器１７に霜となって付着する。この霜は冷却器１７の冷却能力を低下させるため、冷却器１７の下方に除霜ヒータ２１が設けられていて当該除霜ヒータ２１の発熱によって霜を融かすようにしている（除霜）。この除霜によって生じた水（除霜水）は、冷却器室１６の底部の排水口２２から外部の蒸発皿（図示せず）に排出されるようになっている。
【００１３】
さて、前記各扉９〜１２の裏側周辺部には、マグネットガスケット２３が装着されており、各扉９〜１２が閉鎖状態にあるとき、マグネットガスケット２３が冷蔵庫本体１に吸着し、その吸着力でもって各扉９〜１２が閉鎖状態に保持されように構成されている。これら扉９〜１２のうち、冷蔵室２の扉９と冷凍室３の扉１０は、比較的大形で、そのマグネットガスケット２３の総延長も長いため、その分、吸着力が大きく、開扉操作に大きな力が必要となる。
【００１４】
そこで、冷蔵庫本体１の外上面および庫内に、それぞれ冷蔵室２の扉９、冷凍室３の扉１０に開放助力を与えるための開扉装置２４が設けられている。これらの開扉装置２４は、取り付け位置が異なるだけでいずれも同じ構成であるので、以下では、本発明に直接関係する冷凍室３の扉１０の開扉装置２４につき説明する。
即ち、冷凍室３、製氷室４および小冷凍室５とは、同じ温度帯にあるため、互いに連通されている。ただ、冷蔵庫本体１の前面開口部においては、冷凍室３と製氷室４、小冷凍室５との間を分ける前横枠２５ａが設けられ、また、製氷室４と小冷凍室５との間を分ける前縦枠２５ｂが設けられている。従って、前横枠２５ａの後方は、食品の収容に寄与し得ないスペースとなっており、このスペースの左右方向中央部には、前横枠２５ａと前カバー１５ａとの間に掛け渡すようにして設けられた取り付け部材２６が配設されている。そして、この幅狭で前後に長尺な取り付け部材２６の下部に、前記開扉装置２４が取り付けられている。従って、開扉装置２４は、このデッドスペースを利用して配設された形態となっている。
【００１５】
開扉装置２４は、取り付け枠２６に固定された円筒状コイル２７と、このコイル２７内に移動可能に設けられた可動鉄心２８とからなるソレノイド２９を電動駆動源としている。可動鉄心２８は圧縮ばね３０によって後方に付勢されて常にはコイル２７内から後方に突出した後退位置にある。この可動鉄心２８の前端部には、下方に偏心した押し出しロッド３１が連結されており、この押し出しロッド３１は、前横枠２５ａの下方を通って冷凍室３の扉１０の裏面上部に近接している。
そして、コイル２７が通電されると、コイル２７の磁気吸引力によって可動鉄心２８が前方に移動して押し出しロッド３１によって冷凍室３の扉１０を前方に押す。すると、扉１０がマグネットガスケット２３の吸着力に抗して開放方向である前方に押し出されるようになっている。
【００１６】
一方、扉１０には可動ハンドル１０ａが取り付けられている。また、扉１０には、可動ハンドル１０ａが引っ張り操作されたとき、オンされる例えば常閉型のマイクロスイッチからなる開扉スイッチ３２（図５参照）が設けられている。また、冷蔵庫本体１側には、扉１０の開閉状態を検出するための扉スイッチ３３（図５参照）が設けられている。この扉スイッチ３３は、例えば扉１０が閉鎖位置にあるとき、オフ信号を出力し、それ以外のときには、オン信号を出力する常開型のマイクロスイッチから構成されている。
【００１７】
図５は開扉装置２４の制御に関連する電気的構成を示すブロック図である。この図５において、制御装置３４は、例えばマイクロコンピュータを主体とするもので、この制御装置３４には、冷凍サイクルの圧縮機３５、冷気循環用の前記ファン１８を駆動するファンモータ３６、前記除霜ヒータ２１、冷却器１７の温度を検出する冷却器用温度センサ３７、前記開扉スイッチ３２、前記扉スイッチ３３、ＰＷＭ形成回路３８、タイマ回路３９が接続されている。
【００１８】
上記ＰＷＭ形成回路３８は、主としてスイッチング素子から構成される駆動回路４０を介して開扉装置２４のコイル２７を通断電制御するものである。このＰＷＭ形成回路３８は、制御装置３４からデューティ信号を受けると、そのデューティ信号に応じたオンデューティにてコイル２７を通断電制御する。本実施例では、制御装置３４は、ＰＷＭ形成回路３８に対し、０．５，１のいずれかのデューティ信号を出力する。
【００１９】
そして、ＰＷＭ形成回路３８は、１のデューティ信号の場合、コイル２７に通常の駆動電圧を印加し、これにより可動鉄心２８がコイル２７の磁気吸引力によって前方に移動する。デューティ信号が０．５の場合、ＰＷＭ形成回路３８は、コイル２７に通常の駆動電圧の半分の電圧を印加する。このときには、コイル２７の磁気吸引力は弱く、可動鉄心２８が前方に移動することはないが、コイル２７は、ジュール熱を発生し、開扉装置２４を暖める。従って、ＰＷＭ形成回路３８は、電動駆動源であるソレノイド２９のコイル２７に低電圧通電する低電圧印加手段として機能する。
前記タイマ回路３９は、複数の計時部と積算計時部とを有している。このうち、積算計時部は、制御装置３４による圧縮機３５の運転時間を積算する。また、各計時部は制御装置３４からのカウント開始指令によってタイマカウントを開始するように構成されている。
【００２０】
次に上記構成の作用を説明する。まず、圧縮機３５の運転は、冷凍室３の温度に基づいて行われる。つまり、冷凍室３内が所定のオン温度以上になると、これを図示しない冷凍室用温度センサが検出する。すると、制御装置３４が圧縮機３５を起動させると共に、ファンモータ３６を起動させる。これにより、冷却器１７により冷却された冷気が冷凍室３、製氷室４、小冷凍室５に供給される。この冷気供給により、冷凍室３が所定のオフ温度以下になると、これを図示しない冷凍室用温度センサが検出するので、制御装置３４は、圧縮機３５およびファンモータ３６を停止させる。
【００２１】
そして、タイマ回路３９による圧縮機３５の運転積算時間が所定時間に達すると、制御装置３４は、除霜ヒータ２１に通電して冷却器１７に付着した霜を溶解させる除霜運転を行う。この除霜運転により冷却器１７に付着した霜がなくなると、冷却器１７の温度が所定のプラス温度以上となるので、冷却器用温度センサ３７が所定のプラス温度以上を検出したとき、制御装置３４は、除霜ヒータ２１を断電して除霜運転を終了させる。
【００２２】
一方、冷凍室３の扉１０を開放すべくハンドル１０ａに手を掛けて引っ張ると、ハンドル１０ａが開扉スイッチ３２をオンさせる。すると、制御装置３４がＰＷＭ形成回路３８にオンデューティが１のデューティ信号を出力するため、開扉装置２４のコイル２７が通常の駆動電圧にて通電される。このとき、制御装置３４は、タイマ回路３９の計時部を動作させて所定時間、例えば１〜２秒カウントする間だけコイル２７に通電するように構成されている。
【００２３】
そして、このコイル２７の通電により、可動鉄心２８がコイル２７に吸引されて前方に移動し、押し出しロッド３１を介して扉１０を前方に押す。すると、扉１０がマグネットガスケット２３の磁気吸引力に抗して前方に移動し、マグネットガスケット２３を冷蔵庫本体１から引き離す。このため、後はハンドル１０ａを軽く引くだけで扉１０を全開位置まで引き出すことができる。この扉１０の開放は、扉スイッチ３３によって検出される。そして、扉スイッチ３３によって扉１０の開放が検出されたときには、制御装置３４は、冷気循環用のファンモータ３６を断電して冷気が開放前面から逃げ出ないようにする。
【００２４】
さて、開扉装置２４のコイル２７は、扉１０を開放させるとき以外は、図２のフローチャートに示すタイミングにて低電圧通電される。この低電圧通電によりコイル２７はジュール熱を発生し、開扉装置２４を暖めて当該開扉装置２４が冷凍室３内の冷気により凍結しないようになされる。このコイル２７を低電圧通電する運転を、以下では凍結防止運転ということとする。
【００２５】
図２の凍結防止運転のフローチャートの実行に入ると、まず、制御装置３４は、前回の凍結防止運転終了から所定時間以上経過したか否かを判断する（ステップＳ１）。開扉装置２４が設置された冷凍室３内は、マイナス温度にあるため、前回の凍結防止運転終了から所定時間以上経過すると、開扉装置２４も低温度となり、着霜を生じやすい状態になる。このため、前回の凍結防止運転から所定時間以上経過したときには（ステップＳ１で「ＹＥＳ」）、制御装置３４は、開扉装置２４のコイル２７に低電圧にて通電し、凍結防止運転を開始する（ステップＳ６）。
【００２６】
前回の凍結防止運転終了から所定時間以上経過していない場合（ステップＳ１で「ＮＯ」）でも、冷却運転開始状態、つまり圧縮機３５の通電時、または圧縮機３５への通電から所定時間経過前であるときには、制御装置３４は、凍結防止運転を開始させる（ステップＳ２で「ＹＥＳ」、ステップＳ６）。冷却運転開始状態では、未だ冷却器１７はそれ程冷えておらず、霜が付きにくい状態にある。このときには、冷凍室３内の冷気により冷やされている開扉装置２４の方に着霜を生じ易い。このため、冷却運転開始状態にあるときに凍結防止運転を開始することは、開扉装置２４の凍結防止に効果がある。
【００２７】
冷却開始状態になくても、除霜中にある場合であって除霜開始から所定時間以上経過した場合には、制御装置３４は、凍結防止運転を開始する（ステップＳ２で「ＮＯ」、ステップＳ３で「ＹＥＳ」、ステップＳ４で「ＹＥＳ」、ステップＳ６）。除霜開始から所定時間以上経過すると、冷却器１７に付着していた霜が溶かされて湿度の高い状態になるため、開扉装置２４に霜が付着しやすくなる。このため、除霜開始から所定時間以上経過した時点で凍結防止運転を開始し、開扉装置２４の着霜を防止する。
【００２８】
除霜中で、除霜開始から所定時間経過前であっても（ステップＳ３で「ＹＥＳ」、ステップＳ４で「ＮＯ」）、冷却器用温度センサ３７が所定温度以上を検出した場合、制御装置３４は、凍結防止運転を開始する（ステップＳ５で「ＹＥＳ」、ステップＳ６）。冷却器１７の着霜量が少ない場合には、除霜開始から所定時間経過前であっても、霜が解け、その除霜水の蒸発によって冷凍室３内の湿度が高くなる場合がある。霜の溶解は、冷却器用温度センサ３７の温度上昇によって分るので、冷却器用温度センサ３７が所定温度以上を検出した場合、凍結防止運転を開始するようにしているのである。
【００２９】
以上のようにして凍結防止運転を開始し、この凍結防止運転が所定時間行われると、制御装置３４は、凍結防止運転を停止する（ステップＳ７で「ＹＥＳ」、ステップＳ８）。凍結防止運転が所定時間継続されると、開扉装置２４は、コイル２７の発熱により暖められる。このため、それ以上、コイル２７に通電し続けることは、かえって無駄な通電となるので、凍結防止運転が所定時間継続されると、そこでコイル２７を断電するようにしているのである。
【００３０】
このように本実施形態によれば、所定のタイミングで開扉装置２４のコイル２７が低電圧にて通電されて発熱し、これにより開扉装置２４を温めて凍結しないようにするので、開扉装置２４が凍結によって動作不良を生ずるという不具合を効果的に防止することができる。
【００３１】
（第２の実施形態）
図６は本発明の第２の実施形態を示す。この第２の実施形態は、除霜後の凍結防止運転の開始タイミングを定めたものである。即ち、前回の凍結防止運転の停止から所定時間以上経過した場合（ステップＡ１で「ＹＥＳ」）、冷却運転開始状態にある場合（ステップＡ２で「ＹＥＳ」）、前述の第１の実施形態と同様に凍結防止運転を開始する。
【００３２】
更に、本実施形態では、前回の凍結防止運転の停止から所定時間未満（ステップＡ１で「ＮＯ」）で、冷却運転開始状態にない場合（ステップＡ２で「ＮＯ」）であっても、除霜後に冷気循環用のファン１８が回転している場合には、制御装置３４は、凍結防止運転を開始する（ステップＡ３で「ＹＥＳ」、ステップＳ４で「ＮＯ」、ステップＡ６）。除霜終了すると、冷却器室１６内の湿度は除霜水の蒸発によって高くなっている。そして、冷却運転の開始などにより、ファン１８が回転すると、冷却器室１６内の湿気を含んだ空気が冷凍室３内に送られ、開扉装置２４に着霜を生じ易くなる。
【００３３】
このため、除霜終了後に凍結防止運転を開始することは、開扉装置２４の凍結防止に効果があり、特に本実施形態のようにファン１８の回転により凍結防止運転を開始させた場合には、実際に冷凍室３内に湿気を含む空気が送られたときに限ってコイル２７に通電するので、実際に開扉装置２４が凍結する恐れが生じたときに凍結防止運転を開始させることとなり、無駄な通電を行うことがない。
【００３４】
（第３の実施形態）
図７は本発明の第３の実施形態を示す。この第３の実施形態が前記第１の実施形態と異なるところは、扉１０の開放に応じて凍結防止運転を開始させるところにある。即ち、本実施形態では、制御装置３４は、扉スイッチ３３が扉１０の開閉を検出すると、その開放のたびに図示しない開扉カウンタ（開扉回数カウント手段）を１ずつカウントアップしてゆく。また、制御装置３４は、扉スイッチ３３により扉１０が開放されていた時間をタイマ回路３９によりカウント（開扉時間カウント手段）させると共に、その開放時間を積算して記憶させる（開扉時間積算手段）ように構成されている。
【００３５】
そして、図７に示すように、扉１０が開放され、開扉カウンタのカウント数が所定回数以上になると、制御装置３４は、凍結防止運転を開始する（ステップＢ３で「ＹＥＳ」、ステップＢ４で「ＹＥＳ」、ステップＢ７）。つまり、扉１０が開放されると、その都度、外気が冷凍室３内に侵入する。外気は湿気を含んでいるので、その湿気が開扉装置２４に触れて結露して氷結したり、霜となって付着したりする。このため、開扉回数が所定回数以上になってときに凍結防止運転を開始することは、開扉装置２４の凍結防止に効果がある。
【００３６】
また、扉１０の開放回数が所定回数に達していなくとも、扉１０が開放状態にあった総時間（扉開放積算時間）が所定時間以上になると、制御装置３４は、凍結防止運転を開始する（ステップＢ４で「ＮＯ」、ステップＢ５で「ＹＥＳ」、ステップＢ７）。
更に、扉開放積算時間が所定時間に達していなくても、扉１０が開放されたままにある連続開放時間が所定時間以上になった場合には、制御装置３４は、凍結防止運転を開始する（ステップＢ５で「ＮＯ」、ステップＢ６で「ＹＥＳ」、ステップＢ７）。
【００３７】
このように、扉１０の総開放時間が所定時間以上となったり、或いは１回の扉１０の開放でも、開放されたままの時間が所定時間以上になったりすると、開扉装置２４が凍結し易くなるので、このようなタイミングで凍結防止運転に入ることは、その凍結防止に効果がある。
【００３８】
（第４の実施形態）
図８は本発明の第４の実施形態を示す。この実施形態が前述の第１の実施形態と異なるところは、開扉装置２４の温度を検出する開扉装置用温度センサと冷凍室３または冷却器室１６内の湿度を検出する湿度センサを設け、これら開扉装置用温度センサの検出温度、湿度センサの検出湿度によって凍結防止運転の終了タイミングを定めたところにある。
【００３９】
即ち、凍結防止運転が開始された後、所定時間以上経過した時点で凍結防止運転を終了す（ステップＣ７で「ＹＥＳ」、ステップＣ１１）るが、所定時間経過前であっても、開扉装置用温度センサの検出温度が所定温度以上である場合には、開扉装置２４の凍結の恐れはないので、制御装置３４は、凍結防止運転を終了させる（ステップＣ７で「ＮＯ」、ステップＣ８で「ＹＥＳ」、ステップＣ１１）。
【００４０】
また、開扉装置用温度センサの検出温度が所定温度未満であっても、湿度センサの検出湿度が所定湿度未満である場合には、冷凍室３内の湿気は少なく、開扉装置２４が凍結する恐れがないので、制御装置３４は、凍結防止運転を終了させる（ステップＣ８で「ＮＯ」、ステップＣ９で「ＹＥＳ」、ステップＣ１１）。
更に、開扉スイッチ３２が扉１０のハンドル１０ａの引き操作を検出した場合、開扉装置２４のコイル２７は通常の駆動電圧で通電され、発熱するので、このときには、凍結防止運転を終了する（ステップＣ９で「ＮＯ」、ステップＣ１０で「ＹＥＳ」、ステップＣ１１）。
【００４１】
（第５の実施形態）
図９は本発明の第５の実施形態を示す。この実施形態が前述の第１の実施形態と異なるところは、制御装置３４に書き換え可能なメモリ手段として、電気的に消去可能なＥＥＰＲＯＭ４１を接続したところにある。このＥＥＰＲＯＭ４１には、第１の実施形態でいえば、ステップＳ１の所定時間、ステップＳ４の所定時間、ステップＳ５の所定温度、ステップＳ７の所定時間、また、第２の実施形態でいえば、ステップＡ５の所定温度、ステップＡ７の所定温度、第３の実施形態でいえば、ステップＢ２の圧縮機３５の運転開始からの所定時間以内を冷却開始状態とした場合の所定時間、ステップＢ４の所定回数、ステップＢ５の所定時間、ステップＢ６の所定時間、第４の実施形態でいえば、ステップＣ８の所定温度、ステップＣ９の所定湿度などの数値が記憶されており、これらの記憶数値は、変更できるようになっている。これにより、実情に応じて上記の数値を変更することによって、凍結防止運転を過不足なく行うことができるようになる。
【００４２】
（その他の実施形態）
本発明は上記し且つ図面に示す実施形態に限定されるものではなく、以下のような拡張或いは変更が可能である。
凍結防止運転を行う開扉装置２４は、冷凍室３内に設けられたものに限られず、凍結の恐れのある庫内部分に配設された開扉装置について、本発明の凍結防止運転を適用することができる。
開扉装置２４に低電圧を印加する手段としては、ＰＷＭ方式によるものに限られない。商用交流電源を変圧器により降圧してコイル２７に印加する構成としても良い。また、商用交流電電を位相制御により低電圧にしてコイル２７に印加する構成であっても良い。
開扉装置２４の電動駆動源としては、ソレノイド２９に限られない。例えば、電動駆動源としてモータを用い、その回転を例えばラックとピニオンによって直線運動に変換して扉１０を開放する構成としても良い。この場合の凍結防止運転は、モータのコイルに低電圧を印加することによって行うものである。
【図面の簡単な説明】
【００４３】
【図１】本発明の第１の実施形態を示すもので、開扉装置周辺部分の縦断側面図
【図２】開扉装置の凍結防止運転についての制御内容を示すフローチャート
【図３】一部破断して示す冷蔵庫の側面図
【図４】冷蔵庫の正面図
【図５】電気的構成を示すブロック図
【図６】本発明の第２の実施形態を示す図２相当図
【図７】本発明の第３の実施形態を示す図２相当図
【図８】本発明の第４の実施形態を示す図２相当図
【図９】本発明の第５の実施形態を示す図５相当図
【符号の説明】
【００４４】
図面中、１は冷蔵庫本体、３は冷凍室（貯蔵室）、１０は扉、１７は冷却器、１８はファン、２１は除霜ヒータ、２３はマグネットガスケット、２５は開扉装置、２７はコイル、２８は可動鉄心、２９はソレノイド（電動駆動源）、３１は押し出しロッド、３２は開扉スイッチ、３３は扉スイッチ、３４は制御装置、３５は圧縮機、３８はＰＷＭ形成回路（低電圧印加手段）、４１はＥＥＰＲＯＭ（メモリ手段）を示す。
【図１】
0004445523.tif 000002
【図２】
0004445523.tif 000003
【図３】
0004445523.tif 000004
【図４】
0004445523.tif 000005
【図５】
0004445523.tif 000006
【図６】
0004445523.tif 000007
【図７】
0004445523.tif 000008
【図８】
0004445523.tif 000009
【図９】
0004445523.tif 000010